(57)【要約】【課題】  部品点数を増加させることなく、ディスクの位置を確実に検出可能なディスク挿入排出装置を提供すること。【解決手段】  ディスクが挿入および排出される挿入排出口１０とディスク駆動位置との間でディスクを搬送するディスク搬送手段１５と、前記ディスクの搬送時に当該ディスクに当接して移動する左右検出レバー２１，２２と、前記ディスクと左右検出レバー２１，２２とが当接する前と、前記ディスクと左右検出レバー２１，２２との当接が解除された後で左右検出レバー２１，２２の位置が異なるように位置決めする凹部２７ａ，２８ａが形成された取付板２０と、を備える。【選択図】  図１
2005222600.tif 000002
【特許請求の範囲】
【請求項１】
ディスクが挿入および排出される挿入排出口とディスク駆動位置との間で前記ディスクを搬送するディスク搬送手段と、
前記ディスクの搬送時に当該ディスクに当接して移動する移動部材と、
前記ディスクと前記移動部材とが当接する前と、前記ディスクと移動部材との当接が解除された後で前記移動部材の位置が異なるように位置決めする位置決め部材と、
を備えたことを特徴とするディスク挿入排出装置。
【請求項２】
請求項１に記載のディスク挿入排出装置において、
前記移動部材は、前記ディスクの搬送時に当該ディスクの周縁部に当接して移動する左・右検出レバーであって、前記位置決め部材は、前記ディスクと前記右・左検知レバーとが当接する前と、前記ディスクと前記右・左検知レバーとの当接が解除された後で前記左・右検出レバーの開き幅が異なるように位置決めすることを特徴とするディスク挿入排出装置。
【請求項３】
請求項１または２に記載のディスク挿入排出装置において、
前記移動部材の位置に基づいて少なくとも前記ディスクが駆動位置に向かって搬送されている時であることを検出する検出手段を設けたことを特徴とするディスク挿入排出装置。
【請求項４】
請求項３に記載のディスク挿入排出装置において、
前記検出手段は、作動片の押圧によりオン、オフする左側スイッチおよび右側スイッチであって、これら左側スイッチおよび右側スイッチにより前記左・右検出レバーの位置に基づいてディスクが駆動位置に向かって搬送されている時であることを検出することを特徴とするディスク挿入排出装置。
【請求項５】
請求項２に記載のディスク挿入排出装置において、
前記左・右検出レバーの開き幅が異なるように位置決めした際、当該左・右検出レバーを位置決め方向に付勢する付勢手段を設けたことを特徴とするディスク挿入排出装置。
【発明の詳細な説明】
【技術分野】
【０００１】
本願は、例えばスロットインローディング方式のディスク装置等の技術分野に属する。
【背景技術】
【０００２】
従来、スロットインローディング方式のディスク再生装置には、特許文献１に開示されたものがある。
【０００３】
かかるディスク再生装置は、ディスクに記録された情報を再生するディスク再生装置において、ディスク挿入口に設けられ、ディスクの周縁部に当接部が当接して該当接部が互いに離隔する方向に移動する左右のスライドレバと、前記当接部が接近する方向に前記スライドレバに弾性力を付与する付勢手段と、前記左右のスライドレバの移動位置に応じて、その出力状態が変化する２個の左右のセンサと、前記左右のセンサの出力状態に応じてディスクの挿入状態を判断するディスク状態判断手段とを備えたものである。
【０００４】
つまり、上記特許文献１に開示されたディスク再生装置は、左右のスライドレバの移動位置に応じて２個の左右のセンサの出力状態が変化し、当該２個の左右のセンサの出力状態に応じてディスクの挿入状態を判断するようにしている。
【特許文献１】特開２００１−１５５４０１
【発明の開示】
【発明が解決しようとする課題】
【０００５】
しかしながら、上記特許文献１に開示されたディスク再生装置は、左右のスライドレバが左右方向へ摺動可能に組付けられ、付勢手段とての引張コイルばねにより中央部方向に弾性的に付勢される。そのため、ディスクの位置が当該ディスク挿入前と、ディスクの周縁部との当接が解除され演奏のための駆動位置に向かって搬送されている時とでは、上記左右のスライドレバの位置が同じになる。
【０００６】
したがって、上記ディスク再生装置は、例えば、ディスクが駆動位置に向かって搬送されている時に電源が断たれ、そして、断たれた電源が復帰した場合では、ディスクの位置が把握できなくなってしまう。つまり、ディスクが挿入されていない状態であるのか又はディスクが搬送されている時であるのかが把握できなくなってしまう。そのため、ディスクが搬送されている時であることを検知するための専用の検知スイッチ部を設けてディスク挿入状態を検出している。その結果、部品点数を増加させなくては、ディスクの位置を検出することができないという問題等が一例として挙げられる。
【０００７】
そこで、本願は、上記の各事情を考慮してなされたもので、その課題の一例は、部品点数を増加させることなく、ディスクの位置を確実に検出可能なディスク挿入排出装置を提供することにある。
【課題を解決するための手段】
【０００８】
上記の課題を解決するため、請求項１に記載の発明は、ディスクが挿入および排出される挿入排出口とディスク駆動位置との間で前記ディスクを搬送するディスク搬送手段と、前記ディスクの搬送時に当該ディスクに当接して移動する移動部材と、前記ディスクと前記移動部材とが当接する前と、前記ディスクと移動部材との当接が解除された後で前記移動部材の位置が異なるように位置決めする位置決め部材と、を備えたことを特徴とする。
【発明を実施するための最良の形態】
【０００９】
以下、本願の実施の形態について、図面を参照しながら説明する。
【００１０】
なお、以下に説明する実施の形態は、ディスクをスロットに挿入することで当該ディスクを自動的にローディングして再生可能なディスク再生装置に対して本願を適用した場合の実施の形態である。
【００１１】
図１は本願の一実施の形態におけるディスク再生装置の要部を示す平面図、図２は図１のディスク再生装置のＡ方向矢視図、図３は図１のディスク検出部を示す斜視図、図４は図３の平面図である。
【００１２】
図１に示すように、ディスク再生装置１は、主としてディスク挿入排出部２、ディスク検出部３、ディスク駆動部４、ディスクにレーザ光を照射しその反射光を受光してディスクに記録されたデータを読み取るピックアップ５がそれぞれシャーシ６に取り付けられている。
【００１３】
ディスク挿入排出部２は、図１および図２に示すようにディスクを挿入および排出するための挿入排出口１０、ディスクを搬送する場合のガイドとなる搬送ガイド１１、ディスクを搬送するための搬送ローラ１５および駆動力伝達機構（図示せず）により大略構成されている。
【００１４】
搬送ガイド１１は、搬送ローラ１５とでディスクを鋏み付けた状態で、搬送ローラ１５が回転駆動することにより、ディスクを挿入または排出する搬送経路のガイド部となる。また、搬送ガイド１１は、矩形の板形状の金属から形成された矩形板１２と、その矩形板１２の内側に一体に接合され、略中央部より図示左右両側面方向（ディスクの挿入排出方向に対して直交方向）へ厚みが増えるように勾配が形成され、ディスク挿入排出時にそのディスク外周縁部が当接する当接面１３ａを有する当接板１３（図２）とを備えている。この当接板１３の材料には、合成樹脂が用いられ一体成形により加工される。なお、搬送ガイド１１は、ディスク挿入排出部２に対してディスクの挿入方向下流側に配設されている。
【００１５】
搬送ローラ１５は、搬送ガイド１１の当接板１３とでディスクを鋏み付けた状態で回転し、ディスクを駆動位置へ搬送するものである。搬送ローラ１５は、図示しない回転軸と、当該回転軸の外周に被着されたゴムローラ部１６により構成されている。ゴムローラ部１６は中央部より両端方向へ向けて増径するようにテーパが形成されている。また、上記回転軸の両端は軸受により保持されており、一方の端には搬送ローラ１５を回転駆動させる歯車が固定されている。
【００１６】
そして、搬送ローラ１５の回転軸に固定された歯車は、図示しない駆動モータに接続され、当該駆動モータの回転力を伝達するための駆動力伝達機構部に歯合しているので、その回転方向を切り替えることにより、ディスクを挿入方向または排出方向のいずれの方向へも搬送することができるように構成されている。上記搬送ローラ１５、駆動モータおよび駆動力伝達機構部は、本願のディスク搬送手段を構成する。
【００１７】
なお、搬送ローラ１５は、搬送ガイド１１の方向へ付勢するように、図示しないばね部材（例えば、捩じりばねまたは引張コイルばね等の付勢手段）により弾性保持されており、ディスク搬送時には挿入されたディスクの方向へ移動し、上記ばね部材の弾性力でディスクに圧接する。そして、ディスク搬送時以外は、上記ばね部材の弾性力を解除するように切り替えることによりディスクから離間するようになっている。
【００１８】
ディスク検出部３は、ディスク挿入排出部２に対してディスクの挿入方向上流側に配設され、ディスクの挿入状態および排出状態、ディスク搬送経路内にディスクが滞留しているか否かを検出するものであり、矩形状の取付板２０、当該取付板２０に取り付けられる左検出レバー２１、当該左検出レバー２１と互いに対をなす右検出レバー２２、左検出レバー２１と右検出レバー２２との間に連結された引張コイルばね２３、左側スイッチ２４ａ，２４ｂ、右側スイッチ２５ａ，２５ｂ、スイッチ２６および図示しない制御部により構成されている。
【００１９】
なお、検出レバー２１，２２は、本願の移動部材を構成し、左側スイッチ２４ａ，２４ｂ、右側スイッチ２５ａ，２５ｂは、本願の検出手段を構成し、図１〜図４において左右に配置されていることから、本実施の形態では、便宜上それぞれ左検出レバー２１と右検出レバー２２とし、また左側スイッチ２４ａ，２４ｂ、右側スイッチ２５ａ，２５ｂとしているものの、互いに上下に配置される場合もある。また、引張コイルばね２３は、本願の付勢手段を構成する。
【００２０】
取付板２０は、図３〜図５に示すように左右略対象の矩形平板状に形成され、長手方向に対して同一直線上に所定間隔をおいて２つの長尺のガイド孔２７，２８が穿設され、これらのガイド孔２７，２８に左検出レバー２１および右検出レバー２２がそれぞれ摺動可能に装着されている。
【００２１】
また、取付板２０は、ディスクの挿入排出方向に対して直交方向に配置され、ガイド孔２７，２８には、それぞれディスクの排出方向に切り欠いた凹部２７ａ，２８ａが連続して形成されている。これらの凹部２７ａ，２８ａは、図４および図５に示すように逆台形状に形成され、ディスクが駆動位置にある時に左検出レバー２１および右検出レバー２２を位置決めし、図示左右両端方向に傾斜部２７ｂ，２８ｂ、その内側に当接部２７ｃ，２８ｃ、さらにその内側に垂直段部２７ｄ，２８ｄがそれぞれ連続して形成されている。
【００２２】
さらに、取付板２０の長手方向両端には、シャーシ６に固定するための固定孔２９ａ，２９ｂが形成されている。
【００２３】
ここで、ガイド孔２７，２８の凹部２７ａ，２８ａが穿設された取付板２０は、ディスクが駆動位置にある時とディスクの排出完了時とで左検出レバー２１および右検出レバー２２の位置、すなわち開き幅が異なるように位置決めする位置決め部材としての機能を有している。
【００２４】
また、取付板２０には、図５に示すようにその中央近傍に左側スイッチ２４ａ，２４ｂが実装される取付孔２４ｃ，２４ｄと、これら取付孔２４ｃ，２４ｄと対称な位置に右側スイッチ２５ａ，２５ｂが実装される取付孔２５ｃ，２５ｄと、スイッチ２６が実装される取付孔２６ａとがそれぞれ２つづつ穿設されている。
【００２５】
次に、図６および図７（Ａ）〜（Ｄ）に基づいて右検出レバー２２の構造を説明する。なお、左検出レバー２１と右検出レバー２２とは、互いに略対称形状であって略同様の機能を有することから、図６および図７（Ａ）〜（Ｄ）では、右検出レバー２２について説明する。
【００２６】
右検出レバー２２は、図６に示すようにベース部３０の一側両端近傍に、ガイド孔２８に挿通して右検出レバー２２の摺動をガイドする摺動用ガイド３１と、ディスクの周縁部が当接するディスクガイド部３２とがそれぞれ形成されている。ベース部３０は、連設部３３を介してスイッチ押部３４が一体に形成され、このスイッチ押部３４は連設部３３から略直角に形成され、右検出レバー２２がガイド孔２８に装着されたときに右側スイッチ２５ａ，２５ｂの作動片に当接可能な寸法関係に形成されている。そして、ベース部３０の連設部３３近傍には、引張コイルばね２３の一端を係止する係止部３５が鉤状に形成されている。
【００２７】
他方、左検出レバー２１は、図４に示すように右検出レバー２２と同様、ベース部４０の一側両端近傍に、ガイド孔２７に挿通して左検出レバー２１の摺動をガイドする摺動用ガイド４１と、ディスクの周縁部が当接するディスクガイド部４２とがそれぞれ形成されている。ベース部４０は、連設部４３を介してスイッチ押部４４が一体に形成され、このスイッチ押部４４は連設部４３から略直角に形成され、左検出レバー２１がガイド孔２７に装着されたときに左側スイッチ２４ａ，２４ｂの作動片に当接可能な寸法関係に形成されている。そして、ベース部４０における連設部４３の近傍には、引張コイルばね２３の他端を係止する係止部４５が鉤状に形成されている。
【００２８】
左側スイッチ２４ａ，２４ｂおよび右側スイッチ２５ａ，２５ｂは、同じ仕様のスイッチで、スイッチ本体部より突出した作動片を押圧することによりＯＮ・ＯＦＦさせるメカスイッチである。左側スイッチ２４ａ，２４ｂおよび右側スイッチ２５ａ，２５ｂは、左検出レバー２１と右検出レバー２２のスイッチ押部４４、３４に当接するように取付板２０の中央近傍に対称な位置に実装されている。
【００２９】
なお、ディスク検出部３は、左検出レバー２１と右検出レバー２２の位置の移動（ディスクが駆動位置にある時とディスクの排出完了時に左検出レバー２１と右検出レバー２２の位置の変化、ディスクが左・右検出レバー２１，２２に当接状態で搬送される際の外周縁に追従して変化する位置の変化、ディスク径の違いによる位置の変化、およびディスク挿入時の偏り挿入による位置の変化等）により、左側スイッチ２４ａ，２４ｂ、右側スイッチ２５ａ，２５ｂ、およびスイッチ２６をＯＮ、ＯＦＦさせ、そのＯＮ、ＯＦＦの状態の組み合わせによりディスクの状態を検知し、制御部で搬送ローラ１５の回転方向を制御してディスクの挿入および排出を行う。
【００３０】
次に、左・右検出レバー２１，２２の組付けについて説明する。
【００３１】
まず、取付板２０に穿設された取付孔２４ｃ，２４ｄに左側スイッチ２４ａ，２４ｂを、取付孔２５ｃ，２５ｄに右側スイッチ２５ａ，２５ｂを、取付孔２６ａにスイッチ２６を、それぞれ実装する。
【００３２】
次いで、ガイド孔２７に左検出レバー２１の摺動用ガイド４１およびディスクガイド部４２を摺動自在に挿通した後、ガイド孔２８に右検出レバー２２の摺動用ガイド３１およびディスクガイド部３２を摺動自在に挿通する。なお、左検出レバー２１と右検出レバー２２の取付順序は逆であってもよく、また左側スイッチ２４ａ，２４ｂ、右側スイッチ２５ａ，２５ｂおよびスイッチ２６と、左検出レバー２１および右検出レバー２２との取付順序も逆であってもよい。
【００３３】
このようにして左側スイッチ２４ａ，２４ｂ、右側スイッチ２５ａ，２５ｂ、スイッチ２６、左検出レバー２１および右検出レバー２２が取り付けられた取付板２０を、シャーシ６におけるディスク挿入排出部２に対してディスクの挿入方向上流側に固定孔２９ａ，２９ｂを用いて固定することにより、ディスク検出部３を構成する。
【００３４】
そして、右検出レバー２２の係止部３５と左検出レバー２１の係止部４５にそれぞれ引張コイルばね２３の端部を掛止させる。次いで、図１に示すように右検出レバー２２のベース部３０、スイッチ押部３４と、左検出レバー２１のベース部４０、スイッチ押部４４の各一部を覆うようにカバー５０を被着して左検出レバー２１および右検出レバー２２の浮き上がりを防止するように組み立てる。
【００３５】
次に、左・右検出レバー２１，２２と左・右側スイッチ２４ａ，２４ｂ、２５ａ，２５ｂ、およびスイッチ２６との位置関係について説明する。すなわち、左・右検出レバー２１，２２と左・右側スイッチ２４ａ，２４ｂ、２５ａ，２５ｂとの位置関係は次のようになっている。
【００３６】
１）ディスクの排出が完了して、ディスクと左・右検出レバー２１，２２のディスクガイド部４２，３２との当接が解除された時およびディスクが挿入されていない時は、図１および図３に示すように左・右検出レバー２１，２２のスイッチ押部４４，３４が左・右側スイッチ２４ａ，２４ｂ、２５ａ，２５ｂの作動片を押圧して、左・右側スイッチ２４ａ，２４ｂ、２５ａ，２５ｂがＯＮ状態となる。
【００３７】
２）ディスクに当接して左・右検出レバー２１，２２のディスクガイド部４２，３２が開かれた状態では、左・右検出レバー２１，２２のスイッチ押部４４，３４が左・右側スイッチ２４ａ，２４ｂ、２５ａ，２５ｂから離れてＯＦＦ状態となる。
【００３８】
３）ディスクと左・右検出レバー２１,２２との当接が解除され駆動位置に向かって搬送されている時、ディスクが駆動位置からディスク挿入排出部２に向かって搬送されている時およびディスクが駆動位置（挿入完了、ｐｌａｙ時）にある時は、左・右検出レバー２１，２２のスイッチ押部４４，３４が左・右側スイッチ２４ａ，２４ｂ、２５ａ，２５ｂから離れてＯＦＦ状態となる。
【００３９】
なお、左・右検出レバー２１，２２は、シャーシ６の前面部に左右方向へ摺動自在に組付けられ、引張コイルばね２３により中央部方向へ弾性的に付勢されている。
【００４０】
次に、ディスクの挿入排出動作について図８（Ａ），（Ｂ）および図９を用いて説明する。図８（Ａ），（Ｂ）はディスク挿入時の動作を示す要部平面図，要部正面図、図９はディスク排出時の動作を示す要部平面図である。なお、図８（Ａ），（Ｂ）および図９では、引張コイルばね２３を省略してある。
【００４１】
先ず、ディスクの直径が１２ｃｍのディスクＤ（以下１２ｃｍディスクＤと称して説明する）の挿入動作を図８（Ａ），（Ｂ）に基づいて説明する。
【００４２】
１２ｃｍディスクＤをディスク挿入排出部２から挿入すると、１２ｃｍディスクＤの周縁部が左・右検出レバー２１，２２のディスクガイド部４２，３２に当接し、左・右検出レバー２１，２２を左右方向へスライドさせながら押し広げて移動させる。そして、左・右検出レバー２１,２２のスイッチ押部４４,３４が左・右側スイッチ２４ｂ，２５ｂから離れてＯＦＦ状態となり、搬送ガイド１１に圧接していたディスク搬送用の搬送ローラ１５が回転を始める。そして、１２ｃｍディスクＤの搬送に伴い左・右検出レバー２１,２２が押し広げられて左・右検出レバー２１,２２のスイッチ押部４４,３４が左・右側スイッチ２４ａ，２５ａから離れてＯＦＦ状態となり、左検出レバー２１のベース部４０の端部がスイッチ２６の作動片を押圧してスイッチ２６がＯＮ状態となる。
【００４３】
このようなスイッチ状態となると、１２ｃｍディスクＤが挿入されたと判断される。
【００４４】
１２ｃｍディスクＤがさらに搬送されると、１２ｃｍディスクＤの周縁部が左・右検出レバー２１，２２のディスクガイド部４２，３２に当接しているので、１２ｃｍディスクＤは左・右検出レバー２１，２２を左右方向へそれぞれスライドさせながら搬送される。そして、１２ｃｍディスクＤの最大直径部に当たる周縁部がディスクガイド部４２,３２を通り過ぎると、１２ｃｍディスクＤの周縁部に追従しながら左・右検出レバー２１，２２は、引張コイルばね２３の弾性力により内側方向へ移動する。それに伴いスイッチ２６がＯＦＦ状態となる。そして、１２ｃｍディスクＤと左・右検出レバー２１,２２との当接が解除されても図８に示すように左・右検出レバー２１，２２のスイッチ押部４４，３４が左・右側スイッチ２４ａ，２４ｂ、２５ａ，２５ｂから離れたＯＦＦ状態のままとなる。そして、１２ｃｍディスクが駆動位置まで搬送され、図示せぬクランプ機構が動作し始めたことを検知すると搬送ローラ１５の回転が停止される。
【００４５】
なお、１２ｃｍディスクＤが駆動位置（演奏部の位置）まで搬送される時は、ディスクガイド部４２，３２がそれぞれディスクＤから反力を受けてガイド孔２７，２８から凹部２７ａ，２８ａに嵌り込む。また、左検出レバー２１のディスクガイド部４２は、引張コイルばね２３の弾性力により右方向に、右検出レバー２２のディスクガイド部３２は、引張コイルばね２３の弾性力により左方向に、各々付勢力を受けているため、ディスクＤがさらに駆動位置（演奏部の位置）の方向に進んでも、ディスクガイド部４２，３２が凹部２７ａ，２８ａから移動することがない。よって、ディスクＤと左・右検出レバー２１,２２との当接が解除された後にスイッチ押部４４,３４が左・右側スイッチ２４ａ，２４ｂ，２５ａ，２５ｂをＯＮ状態にすることがなく、ディスクの状態、すなわち、少なくともディスクが挿入されて駆動位置に向かって搬送されている時であることを検出することができる。
【００４６】
次いで、図示しないディスククランパが下降して１２ｃｍディスクＤをディスク駆動部４に固定する。これと同時に、搬送ローラ１５が１２ｃｍディスクＤから離れる。そして、ディスク駆動部４が回転駆動して１２ｃｍディスクＤに記録された情報の再生または記録が行われる。
【００４７】
上記では１２ｃｍディスクＤについて説明しているが、ディスクの直径が８ｃｍのディスクＤ（以下８ｃｍディスクＤと称して説明する）についても同様の動作が可能となる。まず、８ｃｍディスクＤの中心を挿入排出口１０の中心にあわせてディスク挿入排出部２から挿入すると、８ｃｍディスクＤの周縁部が左・右検出レバー２１，２２のディスクガイド部４２，３２に当接し、左・右検出レバー２１，２２を左右方向へスライドさせながら押し広げて移動させる。そして、左・右検出レバー２１,２２のスイッチ押部４４,３４が左・右側スイッチ２４ｂ，２５ｂから離れてＯＦＦ状態となり、搬送ガイド１１に圧接していたディスク搬送用の搬送ローラ１５が回転を始める。そして、８ｃｍディスクＤの移動に伴い左・右検出レバー２１,２２が押し広げられて左・右検出レバー２１,２２のスイッチ押部４４,３４が左・右側スイッチ２４ａ，２５ａから離れてＯＦＦ状態となる。なお、８ｃｍディスクＤの場合は１２ｃｍディスクＤと比べて径が小さいことからスイッチ２６の作動片を押圧することがない。よって、スイッチ２６はＯＦＦ状態のままである。このようなスイッチ状態、すなわち、左・右側スイッチ２４ａ，２４ｂ，２５ａ，２５ｂがＯＦＦ状態でスイッチ２６がＯＮされない状態となると、８ｃｍディスクＤが挿入されたと判断される。
【００４８】
８ｃｍディスクＤがさらに搬送されると、８ｃｍディスクＤの周縁部が左・右検出レバー２１，２２のディスクガイド部４２，３２に当接しているので、８ｃｍディスクＤは左・右検出レバー２１，２２を左右方向へそれぞれスライドさせながら移動される。そして、８ｃｍディスクＤの最大直径部に当たる周縁部がディスクガイド部４２,３２を通り過ぎると、８ｃｍディスクＤの周縁部に追従しながら左・右検出レバー２１，２２は、引張コイルばね２３の弾性力により内側方向へ移動する。そして、８ｃｍディスクＤと左・右検出レバー２１,２２との当接が解除されても、左・右検出レバー２１，２２のスイッチ押部４４，３４が左・右側スイッチ２４ａ，２４ｂ、２５ａ，２５ｂから離れたＯＦＦ状態のままとなる。そして、８ｃｍディスクが駆動位置まで搬送され、図示せぬクランプ機構が動作し始めたことを検知すると搬送ローラ１５の回転が停止される。
【００４９】
なお、８ｃｍディスクＤが駆動位置（演奏部の位置）まで搬送される時は、ディスクガイド部４２，３２がそれぞれディスクＤから反力を受けてガイド孔２７，２８から凹部２７ａ，２８ａに嵌り込む。また、左検出レバー２１のディスクガイド部４２は、引張コイルばね２３の弾性力により右方向に、右検出レバー２２のディスクガイド部３２は、引張コイルばね２３の弾性力により左方向に、各々付勢力を受けているため、８ｃｍディスクＤがさらに駆動位置（演奏部の位置）の方向に進んでも、ディスクガイド部４２，３２が凹部２７ａ，２８ａから移動することがない。よって、８ｃｍディスクＤと左・右検出レバー２１,２２との当接が解除された後にスイッチ押部４４,３４が左・右側スイッチ２４ａ，２４ｂ，２５ａ，２５ｂをＯＮ状態にすることがなく、ディスクの状態、すなわち、少なくとも８ｃｍディスクが挿入されて駆動位置に向かって搬送されている時であることを検出することができる。
【００５０】
次いで、図示しないディスククランパが下降して８ｃｍディスクＤをディスク駆動部４に固定する。これと同時に、搬送ローラ１５が８ｃｍディスクＤから離れる。そして、ディスク駆動部４が回転駆動して８ｃｍディスクＤに記録された情報の再生または記録が行われる。
【００５１】
なお、スイッチ２６のＯＮ・ＯＦＦ状態によって１２ｃｍ・８ｃｍディスクＤが識別され、その識別に応じて、例えば、ディスクＤを駆動する図示せぬスピンドルモータの駆動制御が行なわれる。  
【００５２】
次に、ディスクＤの排出動作を図９に基づいて説明する。
【００５３】
ディスクＤを排出させるには、図示しないイジェクト釦を押すと、搬送ローラ１５がディスクＤの方向へ移動し、搬送ローラ１５と搬送ガイド１１とでディスクＤを挟み付ける。これと同時に、上記ディスククランパが上昇し、ディスクＤのクランプ状態が解除される。ディスクＤのクランプ状態が解除されると、搬送ローラ１５が回転し、ディスクＤがディスク挿入排出部２の方向に搬送される。
【００５４】
そして、ディスクＤが搬送されると、ディスクＤの周縁部が左・右検出レバー２１，２２のディスクガイド部４２，３２に当接するので、ディスクＤは左・右検出レバー２１，２２を左右方向へスライドさせながら押し広げて移動する。このとき、ディスクガイド部４２，３２がそれぞれディスクＤから力を受けて凹部２７ａ，２８ａの傾斜部２７ｂ，２８ｂを経てガイド孔２７，２８に摺動する。さらに、ディスクの最大直径部がディスクガイド部４２,３２を通り過ぎると、ディスクＤの外形に追従しながら左・右検出レバー２１，２２は、引張コイルばね２３の弾性力により内側方向へ移動する。
【００５５】
ここで、ディスクＤがディスク挿入排出部２の方向に搬送されると、左・右検出レバー２１，２２のディスクガイド部４２，３２は、それぞれディスクＤからの反力を受けるので、凹部２７ａ，２８ａに嵌り込むことなく、ディスクＤがさらにディスク挿入排出部２の方向に搬送された場合には、ディスクガイド部４２，３２がそれぞれガイド孔２７，２８の内側端部まで摺動するので、左・右検出レバー２１，２２が図１および図３の位置まで移動することになる。
【００５６】
そして、ディスクＤが所定の位置まで搬送されると、左・右検出レバー２１，２２のスイッチ押部４４，３４が、左・右側スイッチ２４ａ，２４ｂ、２５ａ，２５ｂの作動片を押圧してＯＮの状態となる。なお、ディスクＤが１２ｃｍディスクである場合には、スイッチ２６の作動片を押圧してＯＮ状態になり、さらに、左・右検出レバー２１,２２の移動によりスイッチ２６がＯＦＦ状態となったときに搬送ローラ１５が停止する。また、ディスクＤが８ｃｍディスクである場合には、左・右側スイッチ２４ａ,２５ａの少なくとも何れか一方がＯＦＦ状態となったときに搬送ローラ１５が停止する。
【００５７】
このように、ディスクＤの排出動作においてもディスクＤが左・右検出レバー２１,２２に当接する前の時、すなわち、少なくともディスク挿入排出口２に向かって搬送されている時であることを検出することができる。
【００５８】
以上説明したように、本実施の形態のディスク再生装置１によれば、挿入排出口１０に設けられた左・右検出レバー２１，２２がディスクＤの搬送時にディスクＤの周縁部に当接して摺動し、ディスクＤが駆動位置又はディスク挿入排出部２に向かって搬送されている時および駆動位置にある時と、ディスクＤが挿入されていない時およびディスクＤの排出完了時とで、左・右検出レバー２１，２２の位置が異なるように取付板２０の凹部２７ａ，２８ａに位置決めするようにしたので、少なくともディスクＤが搬送されている時を検出するための専用の検出スイッチを設ける必要がないため、部品点数を増加させることなく、ディスクＤの位置を確実に検出することができる。
【００５９】
なお、本願は上記実施の形態に限定されることなく、種々の変更が可能である。
【００６０】
例えば、上記実施の形態では、直線的にスライド移動する左・右検出レバー２１，２２について説明したが、これに限ることなく、例えば、検出レバーの一端を支点として回転移動するように構成してもよい。この場合では、検出レバーの他端側にスイッチを複数配置して、ディスクと検出レバーとが当接する前の時とディスクと検出レバーとの当接状態が解除された後とでスイッチのＯＮ・ＯＦＦ状態が異なるように、回転移動する検出レバーの位置を異ならせて位置決めすることとなる。  
【００６１】
また、上記実施の形態では、検出手段としての左側スイッチ２４ａ，２４ｂおよび右側スイッチ２５ａ，２５ｂを、スイッチ本体部より突出した作動片を押圧することによりＯＮ・ＯＦＦさせるメカスイッチとしたが、これに限らず発光素子と受光素子を組み合わせた検出手段であってもよい。
【００６２】
さらに、上記実施の形態では、付勢手段として引張コイルばね２３を使用したが、これ以外にその他のばねやゴムであってもよい。
【００６３】
さらにまた、上記実施の形態では、本願をディスク再生装置に適用した例について説明したが、本願はこれに限らずディスク記録装置に適用してもよい。
【図面の簡単な説明】
【００６４】
【図１】本願の一実施の形態におけるディスク再生装置の要部を示す平面図である。
【図２】図１のディスク再生装置のＡ方向矢視図である。
【図３】図１のディスク検出部を示す斜視図である。
【図４】図３の平面図である。
【図５】図３の取付板を示す平面図である。
【図６】図３の右検出レバーを示す斜視図である。
【図７】（Ａ）〜（Ｄ）は図６の右検出レバーを示す背面図，平面図，正面図，右側面図である。
【図８】（Ａ），（Ｂ）は本実施の形態においてディスク挿入時の動作を示す要部平面図，要部正面図である。
【図９】本実施の形態においてディスク排出時の動作を示す要部平面図である。
【符号の説明】
【００６５】
１    ディスク再生装置
２    ディスク挿入排出部
３    ディスク検出部
４    ディスク駆動部
５    ピックアップ
１１    搬送ガイド
１５    搬送ローラ
２０    取付板
２１    左検出レバー
２２    右検出レバー
２３    引張コイルばね
２４ａ，２４ｂ    左側スイッチ
２５ａ，２５ｂ    右側スイッチ
２６    スイッチ
２７，２８    ガイド孔
２７ａ，２８ａ    凹部
３１    摺動用ガイド
３２    ディスクガイド部
３４    スイッチ押部
４１    摺動用ガイド
４２    ディスクガイド部
４３    スイッチ押部
【図１】
2005222600.tif 000003
【図２】
2005222600.tif 000004
【図３】
2005222600.tif 000005
【図４】
2005222600.tif 000006
【図５】
2005222600.tif 000007
【図６】
2005222600.tif 000008
【図７】
2005222600.tif 000009
【図８】
2005222600.tif 000010
【図９】
2005222600.tif 000011